(57)【要約】【課題】  カード挿入口から挿入後に異常停止して滞留したカード状媒体をロックし、不正行為で盗用などされるのを防止できるようにする。【解決手段】  カードリーダ本体１のカード挿入口３から挿入されたカード状媒体４が異常停止して滞留したとき、カードロック装置１０が作動し、ロックレバー２０によってカード状媒体４を移動阻止してロックする。このロックレバー２０は、レバー本体２１の一端部が支軸ピン１７を介して回動可能に軸支され、かつレバー本体２１の他端部の周縁に沿ってカード状媒体４の表面に当接して食い込む鋸歯形状のロック歯２２が形成されている。さらにロックレバー２０に連結されてカード挿入口１７に向かう方向へ往復動可能な可動フレーム１２を有し、この可動フレーム１２はカード状媒体４の異常停止を検出した信号に基づいて作動して、ロックレバー２０を支軸ピン１７の軸周りで正回転させてロック歯２２をカード状媒体４に当接させてロック可能である。【選択図】        図５
2006155567.tif 000002
【特許請求の範囲】
【請求項１】
カードリーダ本体の前部に設けられたカード挿入口から挿入されたカード状媒体が異常停止して滞留したときに、滞留位置にそのカード状媒体を移動阻止してロックすることにより、引き抜きによるカード不正取り出しを防止するカードロック装置を備え、該カードロック装置は、前記カード挿入口に臨む前記カードリーダ本体の内部に一端部が支軸ピンを介して回動可能に軸支され、かつ他端部の周縁に沿って前記カード状媒体の表面に当接可能な形状の係止部が設けられたロック部材を有し、
さらに前記カードロック装置は、前記ロック部材に連結されて前記カード挿入口に向かう方向へ往復動可能な可動部材を有し、この可動部材は前記カード状媒体の異常停止を検出した信号に基づいて作動して、前記ロック部材を前記支軸ピンの軸周りで正回転させて前記係止部を前記カード状媒体に当接させてロック可能であることを特徴とするカードリーダ。
【請求項２】
前記可動部材は、不正行為で前記カード状媒体が逆に押し戻されたときに、前記ロック部材の逆回転を止めかつ後退動作を制止してロックするための押し戻し防止ロック機構を備えていることを特徴とする請求項１に記載のカードリーダ。
【請求項３】
前記押し戻し防止ロック機構は、前記可動部材に往復動方向である長手方向へ傾斜した長孔が設けられ、この傾斜長孔にロックピンが係合して前記可動部材と共に移動可能であり、前記可動部材の後退動作を前記ロックピンの前記傾斜長孔における斜面のロック位置に係合させることによって制止するよう構成されたことを特徴とする請求項２に記載のカードリーダ。
【請求項４】
カード挿入口から挿入されたカード状媒体が異常停止して滞留したときに、そのカード状媒体の移動を阻止して滞留位置にロックすることにより、引き抜き等によるカード不正取り出しを防止するカードロック装置を備え、前記カードロック装置は、前記カード挿入口に臨む前記カードリーダ本体の内部に一端部が支軸ピンを介して回動可能に支軸され、かつ他端部の周縁に沿って前記カード状媒体の表面に当接可能な形状の係止部が設けられたロック部材を有するカードリーダであって、前記カードロック装置を動作させるモータと、このモータの出力を前記カードロック装置に伝達するギア輪列とを備え、前記ギア輪列にはピンクラッチが設けられていることを特徴とするカードリーダ。
【請求項５】
前記ギア輪列の減速比が、前記カード状媒体に前記係止部が当接した場合に前記ロック部材が逆方向に回動するのを防止する程度に大きくなっていることを特徴とする請求項４に記載のカードリーダ。
【発明の詳細な説明】
【技術分野】
【０００１】
本発明は、磁気ストライプやＩＣチップなどの情報記録部（情報記録手段）を備えたカード状記録媒体（以下、カード状媒体と呼ぶ）の情報を読み取るカードリーダに関し、さらに詳しくは、第三者の不正行為でカード状媒体が盗用されるのを防止する機能を備えたカードリーダに関する。
【背景技術】
【０００２】
一般に、ＡＴＭ装置（現金自動預け払い機）や自動販売機などに装備されたカードリーダは、カード挿入口から挿入されたカード状媒体の情報を読み取り／書き込みを行う装置である。従来、そうしたカードリーダにはカード挿入口の内側に防護シャッタが設けられ、カード挿入口からカード状媒体以外の異物が挿入されるのを防いだり、第三者による不正行為でカード状媒体が取り出されて盗用などされるのを防止している。防護シャッタは、カード挿入口から挿入されたカード状媒体を媒体検出センサが検出すると開き、カード挿入口の内側装置内にカード状媒体が取り込まれたことを検出すると閉じる。第三者の不正行為による盗用とは次のような場合が考えられる。顧客がカード挿入口からカード状媒体を挿入した直後、装置内部の機械部品や電気系統に何らかの故障が発生してカード状媒体が詰まって異常停止した場合、あるいは第三者が意図的に何らかの細工をしてカード状媒体を停止させたような場合、防護シャッタが開いた状態のまま顧客が係員呼び出しなどのためにその場を離れると、その隙に第三者がカード状媒体を取り出してしまう。
【０００３】
そうしたカード状媒体の不正盗用を防ぐために、異常停止したカード状媒体を滞留位置にてカード表面に先端が鋭利な部材を突き刺してロックし、カード状媒体が不正に引き抜かれないように防護している。（例えば、特開２００１−２２２６８６号参照。）
また、同じくカード状媒体の不正盗用を防ぐ他の技術として、ラチェット構造の爪をカード状媒体の表面に引っ掛けることにより、不正者によるカード状媒体の取り出しを防止するようにした構造も周知である。
【０００４】
さらに、偏心カムを用いて、不正にカード状媒体の取り出しを阻止する技術が開示されている。カード挿入口に設けられた偏心カムを回動軸を中心として回転することにより、偏心カムの外周面とカード状媒体の表面とが接触する。偏心カムは、所定の厚みをもつ１枚の、その外周面は、のこぎり歯状に形成されている。
カード状媒体に接触したときの摩擦力により、カード挿入口からの取り出しを阻止している。さらに、カード状媒体をカード挿入口から取り出そうした場合、カード状媒体と偏心カムとの間の摩擦力により、偏心カムがさらに回転し、カード状媒体に食い込み、さらに取り出しにくくしている。（例えば、特開２００５−５６３７６号参照。）
【０００５】
【特許文献１】特開２００１−２２２６８６号公報
【特許文献２】特開２００５−  ５６３７６号公報
【発明の開示】
【発明が解決しようとする課題】
【０００６】
しかしながら、かかる特許文献１に示すカードリーダにおいても、さらなる改良の余地が残されている。すなわち、先端鋭利な部材をカード状媒体に突き刺し、カード状媒体を滞留位置に留め置くロック力よりも、不正者がそれ以上の強力な引き抜き力でカード状媒体を取り出そうと試みた場合に対応できるようにすることである。
また、特許文献１に示すカードロック装置は、カード挿入口側に配置しなければならず、配置するスペースを設けることになり、大型化につながるという問題がある。
【０００７】
また、かかる特許文献２に示すカードリーダにおいても、1枚板からなる偏心カムを用いているので、カードを無理に引き抜き、カードが切れて持ち去れるという問題がある。特に、近年のカード状媒体は、磁気ストライプとＩＣチップを搭載した複合型があり、たとえ、一方の情報を破壊したとしても、他方の情報は読み取られてしまうという問題がある。
【０００８】
さらに、特許文献１に示すカードリーダでは、ロック爪をカード状媒体表面に引っ掛けて不正取り出しを防ぐ構造の場合、不正者がカード状媒体を引き抜く方向に力を加えた場合はロック爪によるロック力が効いて効果がある。同様に、特許文献２に示すカードリーダでは、偏心カムがカード状媒体に食い込み、カード状媒体を取り出しにくくしている。しかし、これら特許文献１、２に示すカードリーダでは、不正者がそのカード状媒体を逆に押し込む方向に力を加え、引き抜き力と交互させて執拗に不正取り出しを試みた場合、ロック爪が逆押し込み力に対してロック力を効かせることができない。
【０００９】
以上の問題点を解決するために、本発明の目的は、カード挿入口から挿入されたカード状媒体が不正者によって取り出されて盗用されるのを防止するカードリーダを提供することにある。
【課題を解決するための手段】
【００１０】
上記目的を達成するために、本発明による請求項１に記載のカードリーダは、カードリーダ本体の前部に設けられたカード挿入口から挿入されたカード状媒体が異常停止して滞留したときに、滞留位置にそのカード状媒体を移動阻止してロックすることにより、引き抜きによるカード不正取り出しを防止するカードロック装置を備え、該カードロック装置は、前記カード挿入口に臨む前記カードリーダ本体の内部に一端部が支軸ピンを介して回動可能に軸支され、かつ他端部の周縁に沿って前記カード状媒体の表面に当接可能な形状の係止部が設けられたロック部材を有し、さらに前記カードロック装置は、前記ロック部材に連結されて前記カード挿入口に向かう方向へ往復動可能な可動部材を有し、この可動部材は前記カード状媒体の異常停止を検出した信号に基づいて作動して、前記ロック部材を前記支軸ピンの軸周りで正回転させて前記係止部を前記カード状媒体に当接させてロック可能であることを特徴とする。
【００１１】
本発明によれば、このカードリーダは、異常停止したカード状媒体の表面にカードロック装置のロック部材が係止部を当接し、カード状媒体をその滞留位置にて移動阻止してロックすることができる。
また、前記カードロック装置は、前記ロック部材に連結されて前記カード挿入口に向かう方向へ往復動可能な可動部材を配置したので、既存するカードリーダの本体ハウジングのスペース内に自由度をもって配置することができるようになり、カードリーダの大型化を防止することができる。
【００１２】
また、本発明のカードリーダは、可動部材が、不正行為でカード状媒体が逆に押し戻されたときに、ロック部材の逆回転を止めかつ後退動作を制止してロックするための押し戻し防止ロック機構を備えていることが好ましい。この場合、不正行為でカード状媒体が逆に押し戻されると、ロック部材が逆回転してカード状媒体へのロック力が低下する。そうした不都合を防ぐため、押し戻し防止ロック機構を作動させ、可動部材の後退動作を阻止してロックすることができる。
【００１３】
また、本発明のカードリーダは、押し戻し防止ロック機構が可動部材に往復動方向である長手方向へ傾斜した長孔が設けられ、この傾斜長孔にロックピンが係合して可動部材と共に移動可能であり、可動部材の後退動作をロックピンの傾斜長孔における斜面のロック位置に係合させることによって制止するよう構成されたことが好ましい。この場合、ロックピンを可動部材と一緒に傾斜長孔内で移動させる。ロックピンが所定位置まで移動すると傾斜長孔の斜面に挟み込まれる（実施形態で説明するように、斜面での挟み込みは本体ハウジングに固定して設けた固定フレームの水平な長孔との協働で作用する）。このため、押し戻し防止ロック機構が働き、カード状媒体に対するロック力は変化することなく、カード状媒体を防護して盗用を防ぐことができる。
【００１４】
さらに、本発明のカードリーダは、カード挿入口から挿入されたカード状媒体が異常停止して滞留したときに、そのカード状媒体の移動を阻止して滞留位置にロックすることにより、引き抜き等によるカード不正取り出しを防止するカードロック装置を備え、カードロック装置は、カード挿入口に臨むカードリーダ本体の内部に一端部が支軸ピンを介して回動可能に支軸され、かつ他端部の周縁に沿ってカード状媒体の表面に当接可能な形状の係止部が設けられたロック部材を有するカードリーダであって、カードロック装置を動作させるモータと、このモータの出力をカードロック装置に伝達するギア輪列とを備え、ギア輪列にはピンクラッチが設けられていることを特徴とする。
【００１５】
上記のように形成されたロック部材は、異常停止したカード状媒体の表面に係止部を当接させ、当該カード状媒体が滞留した位置から移動するのを阻止してロックするので、これによればカード状媒体が引き抜かれる際の不正行為に耐える力（いわば引き抜かれ耐力）に優れる。しかも、ロック部材まで出力を伝達するためのギア輪列にはピンクラッチが設けられているので、モータ出力をロック部材まで確実に伝達して駆動させることに加え、引き抜きによるカード不正取り出しをさらに有効に防止することを可能とする。すなわち、引き抜き時にロック部材が全く動かない場合に比べ、僅かでも引き抜き方向に動ける構成とすればカード状媒体とともに動き、その表面に係止部をさらに押し当てたり食い込ませたりすることが可能となる。本発明にかかるカードリーダにおいては、ピンクラッチの働きにより、カード不正取り出し時、ロック部材が引き抜き方向に動くことを可能としている。
【００１６】
さらに、このピンクラッチは、引き抜きによるカード不正取り出し時、所定の間、ギア輪列には回転が伝達されないように空転することによってロック部材の係止部が当該カード状媒体にさらに食い込むのを許容する。その一方で、カード状媒体がカードリーダの奥の方へと押し込まれたときはこのピンクラッチは空転せず、ロック部材の動きを規制して当該カード状媒体がそれ以上奥へと動かないようにすることができる。
【００１７】
さらに、本発明のカードリーダにおいて、ギア輪列の減速比が、カード状媒体に係止部が当接した場合にロック部材が逆方向に回動するのを防止する程度に大きくなっていることが好ましい。これによれば、ギア輪列はモータの出力をロック部材まで伝達する一方で、引き抜きによるカード不正取り出し時、ロック部材が逆方向に回動するのを防止することができる。
【発明の効果】
【００１８】
本発明において、カードリーダは、カードリーダ本体の前部に設けられたカード挿入口から挿入されたカード状媒体が異常停止して滞留したときに、滞留位置にそのカード状媒体を移動阻止してロックすることにより、引き抜きによるカード不正取り出しを防止するカードロック装置を備え、該カードロック装置は、前記カード挿入口に臨む前記カードリーダ本体の内部に一端部が支軸ピンを介して回動可能に軸支され、かつ他端部の周縁に沿って前記カード状媒体の表面に当接可能な形状の係止部が設けられたロック部材を有し、さらに前記カードロック装置は、前記ロック部材に連結されて前記カード挿入口に向かう方向へ往復動可能な可動部材を有し、この可動部材は前記カード状媒体の異常停止を検出した信号に基づいて作動して、前記ロック部材を前記支軸ピンの軸周りで正回転させて前記係止部を前記カード状媒体に当接させてロック可能であることを特徴とする。
【００１９】
本発明のカードリーダは、カードリーダ本体の前部に設けられたカード挿入口から挿入されたカード状媒体が異常停止して滞留したときに、滞留位置にそのカード状媒体を移動阻止してロックすることにより、引き抜きによるカード不正取り出しを防止するカードロック装置を備え、該カードロック装置は、前記カード挿入口に臨む前記カードリーダ本体の内部に一端部が回動可能に軸支され、かつ他端部の周縁に沿って前記カード状媒体の表面に当接可能な形状の係止部が設けられたロック部材を有し、さらに前記カードロック装置は、前記ロック部材に連結されて前記カード挿入口に向かう方向へ往復動可能な可動部材を有し、この可動部材は前記カード状媒体の異常停止を検出した信号に基づいて作動して、前記ロック部材を前記支軸ピンの軸周りで正回転させて前記係止部を前記カード状媒体に当接させてロック可能であることを特徴とする。
【００２０】
本発明のカードリーダは、異常停止したカード状媒体の表面にカードロック装置のロック部材が係止部を当接し、カード状媒体をその滞留位置にて移動阻止してロックすることができる。
また、前記カードロック装置は、前記ロック部材に連結されて前記カード挿入口に向かう方向へ往復動可能な可動部材を配置したので、既存するカードリーダの本体ハウジングのスペース内に自由度をもって配置することができるようになり、カードリーダの大型化を防止することができる。  
【００２１】
さらに、本発明のカードリーダは、カード挿入口から挿入されたカード状媒体が異常停止して滞留したときに、そのカード状媒体の移動を阻止して滞留位置にロックすることにより、引き抜き等によるカード不正取り出しを防止するカードロック装置を備え、カードロック装置は、カード挿入口に臨むカードリーダ本体の内部に一端部が支軸ピンを介して回動可能に支軸され、かつ他端部の周縁に沿ってカード状媒体の表面に当接可能な形状の係止部が設けられたロック部材を有するカードリーダであって、カードロック装置を動作させるモータと、このモータの出力をカードロック装置に伝達するギア輪列とを備え、ギア輪列にはピンクラッチが設けられていることを特徴とする。
【００２２】
本発明によれば、ロック部材は、異常停止したカード状媒体の表面に係止部を当接させ、当該カード状媒体が滞留した位置から移動するのを阻止してロックするので、カード状媒体が引き抜かれる際の不正行為に耐える力（いわば引き抜かれ耐力）に優れる。しかも、ロック部材まで出力を伝達するためのギア輪列にはピンクラッチが設けられているので、モータ出力をロック部材まで確実に伝達して駆動させることに加え、引き抜きによるカード不正取り出しをさらに有効に防止することができる。すなわち、引き抜き時にロック部材が全く動かない場合に比べ、僅かでも引き抜き方向に動ける構成とすればカード状媒体とともに動き、その表面に係止部をさらに押し当てたり食い込ませたりすることが可能となる。本発明にかかるカードリーダにおいては、ピンクラッチの働きにより、カード不正取り出し時、ロック部材が引き抜き方向に動くことを可能としている。
【００２３】
さらに、このピンクラッチは、引き抜きによるカード不正取り出し時、所定の間、ギア輪列には回転が伝達されないように空転することによってロック部材の係止部が当該カード状媒体にさらに食い込むのを許容する。その一方で、カード状媒体がカードリーダの奥の方へと押し込まれたときはこのピンクラッチは空転せず、ロック部材の動きを規制して当該カード状媒体がそれ以上奥へと動かないようにすることができる。
【発明を実施するための最良の形態】
【００２４】
以下、本発明の構成を図面に示す最良の形態に基づいて詳細に説明する。
【００２５】
図１〜図６において、本発明のカードリーダの実施形態の一例を示す。このカードリーダは、カードリーダ本体１を有し、その本体ハウジング２の前部に顧客によって挿入されるカード状媒体４のカード挿入口３が設けられている。また、駆動源５を有し、駆動源５から出力された動力が伝達機構を介して伝達されて作動オン／オフするカードロック装置１０が本体ハウジング２内に設けられている。このカードロック装置１０は、カードリーダ本体１の機構部品や電気系統に発生した何らかの故障、あるいはそれ以外の不正行為などが原因でカード挿入口３から挿入されたカード状媒体４が異常停止して滞留したような場合、カード挿入口３近傍に配置された防護シャッタ（図示省略）が開いた状態でその場を顧客が離れた隙に悪意の第三者である不正者が滞留したカード状媒体４を引き抜いて盗用されるのを防ぐ装置である。
なお、本実施の形態では、駆動源５はソレノイドを用いており、その起動時間を短く、高速作動できるようにしている。
【００２６】
カード状媒体４の不正盗用を防止するために、上記カードロック装置１０は本発明の要旨とする次の２つのロック機能を備えている。そのロック機能の１つは、不正者が滞留したカード状媒体４を無理矢理に引き抜いて取り出そうと試みた場合、引き抜き力に抗してカード状媒体４を滞留位置にて移動阻止してロックする機能であり、引き抜き防止ロック機構が働く。もう１つのロック機能は、不正者がカード状媒体４に対して逆に押し込む力を加え、引き抜き力と交互させて執拗にカード状媒体４の取り出しを試みた場合、その逆押し戻し力に抗してカード状媒体４を滞留位置にて移動阻止してロックする機能であり、押し戻し防止ロック機構が働く。以下、両ロック機構を説明する。
【００２７】
まず、引き抜き防止ロック機構は、図２〜図５に示すように、本体ハウジング２の内部に固定して設けられた固定フレーム１１を有し、この固定フレーム１１に案内され摺動して往復動可能な細長い本発明でいう可動部材である可動フレーム１２を有している。可動フレーム１２の先端部１２ｂ（図４の円内拡大図参照）は連結ピン１４で変換レバー１３の一端に連結され、この変換レバー１３の他端は連結ピン１５を介して本発明でいうロック部材であるロックレバー２０に回動可能に連結されている。可動フレーム１２は、図２の定常位置（復帰位置）から固定フレーム１１に案内されて摺動し、所定のストローク距離を図３矢印に示すように前進可能である。後述するように、可動フレーム１２は付勢ばね３１（図６参照）によって定常位置から前進方向へ付勢されており、その付勢ばね３１の弾性力に抗して定常位置に、係留手段６の係合部６ａが可動フレーム１２ｂの係合部に係合することによって留め置かれている。
係留手段６は、ピン６ｂを中心に回動するようになっているとともに、駆動源５のソレノイドの出力軸に設けたピン５ａを嵌合して、駆動源５の出力軸の移動に従動するようになっている。さらに、係留手段６は、ソレノイドの出力軸の移動を付勢するバネ４０が設けられている。
係留手段６は上記駆動源５からの動力を受けて作動し、可動フレーム１２の係留を解除して付勢ばね３１により前進動作させるよう機能する。すなわち、可動フレーム１２のかかる進退動作は、変換レバー１３に回動動作として伝達され、この変換レバー１３を介してロックレバー２０の回動動作に変換されるよう、リンク構造を構成している。
本実施の形態では、細長い可動フレーム１２を有し、変換レバー１３を介して、カード挿入口３側にロックレバー２０を回動可能に配置したので、既存するカードリーダ１の本体ハウジング２のスペース内に配置することができるようにし、カードリーダ１の大型化を防止することができるようになっている。
【００２８】
ロックレバー２０は、引き抜き防止ロック機構における主要な部材であり、図４および図５に示すように、レバー本体２１全体がラチェットギアのような形状に成形されている。レバー本体２１はこの中央部もしくは先端部寄りの部位にて上記連結ピン１５で変換レバー１３の他端に連結され、レバー本体２１の基端部は支軸ピン１７を介して本体ハウジング２側に設けたブラケット１８に回動可能に軸支されている。したがって、レバー本体２１は変換レバー１３からの回動力を受けて、支軸ピン１７の軸周りで反時計廻り方向への正回転が可能であり、また時計廻り方向へ逆回転が可能である。そうしたレバー本体２１の先端部の周縁に沿って本発明でいう係止部として鋸歯形状のロック歯２２が形成されている。ロック歯２２から支軸ピン１７までの距離は、一端側のロック歯２２ａから他端側のロック歯２２ｂに向かって漸次大きくなっており、つまり支軸ピン１７を回動中心とする回動半径Ｒが、ロック歯２２ａの回動半径Ｒ１からロック歯２２ｂの回動半径Ｒ２に向かって漸次大きくなるように、Ｒ１＜・・・＜Ｒ２に形成されている。
【００２９】
また、ロックレバー２０のレバー本体２１は複数枚からなる積層構造であり、幅寸法方向の両側にやや厚めの鋼板で成形された側板２３を有し、側板２３間に薄板鋼板をほぼ同形に成形した同形サイズの歯板２４を複数枚積層させて構成している。歯板２４の１枚１枚に周縁の一端側から他端側へ上記ロック歯２２ａ，２２ｂが形成され、そのロック歯２２ａ，２２ｂの歯先は側板２３の周縁に形成されたロック歯２２よりも僅かに外側へ突出するような大きさや形状に形成されている。レバー本体２１をそのように積層構造で幅広に形成することにより、ロック歯２２ａ、２２ｂがカード状媒体４の表面にカード幅方向（カード走行方向に対して垂直な方向）に沿って幅広くまたは複数の点で当接し、その移動を確実に阻止してロックできるようにしている。
なお、図４の円内拡大図に示すように、本実施の形態では、両側の側板２３の間に、歯板２４が隙間無く積層された状態となっているが、側板２３側に数枚の歯板２４を積層し、中間部分には歯板２４が積層せずにスペーサを介在させてもよい。
【００３０】
また、上述のように複数枚の歯板２４を積層することによってロック歯２２を形成した場合には以下のような利点もある。すなわち、各歯板２４の縁にできたバリを後処理することなく積層することとすれば、カード状媒体４の引っ掛かりやすい、あるいは傷を付けやすいロック歯２２を構成することができる。通常、バリは不要なものとなることが多いが、本実施形態のカードリーダにおいてはこのようなバリを逆に利用することによってカードロックを行うのに好適なロック歯２２とすることができる。しかも、上述したように積層構造とした場合には、バリのある歯板２４を複数枚重ね合わせることによってバリが多くきわめて引っ掛かりやすいロック歯２２を構成することが可能となるためにカードロックを行う機器として好ましいものとなり得る。
【００３１】
カード搬送方向に沿ってロックレバー２０の回動面と平行な位置には、搬送ローラ２５ａ，２５ｂが設けられている。この搬送ローラ２５ａ，２５ｂは、カード搬送路８に一部が突出するように設けられ、上側搬送ローラ２５ａと下側搬送ローラ２５ｂとの間にカード状媒体４を挟持して搬送するものである。
【００３２】
また、搬送路８のロックレバー２０と対向する側には、搬送路８のカード搬送面を確定する搬送台２６が設けられている。ロックレバー２０が駆動された場合、搬送台２６は、ロックレバー２０のロック歯２２との間にカード状媒体４を挟み込んで、その移動阻止可能となっている。
【００３３】
そして、下側搬送ローラ２５ｂが搬送台２６よりもカード搬送路８内に突出して、カード状媒体４は搬送台２６からやや浮き上がった状態で搬送可能とされている。従って、上述のようにロックレバー２０が駆動された後に、不正者によるカード引き抜きが行なわれると、カード状媒体４は引き抜かれた方向に僅かに移動し、ロック歯２２は浮き上がっている分だけ深くカード状媒体４に喰い込み、カード状媒体４をロックし引抜きを防止することになる。
【００３４】
次に、カードロック装置１０における押し戻し防止ロック機構は、要部を拡大して円内に示す図６において、上記固定フレーム１１には長手方向へフレーム後端部まで延びる長孔１１ａが設けられ、上記可動フレーム１２にはフレーム後端部の付近に長手方向へ傾斜した傾斜長孔１２ａが設けられている。固定フレーム１１と可動フレーム１２とは、それら各々の長孔１１ａと傾斜長孔１２ａに連通するロックピン３０によって連結されている。すなわち、固定フレーム１１に対して可動フレーム１２は摺動して往復動するが、そうした可動フレーム１２の往復動作によって傾斜長孔１２ａの位置がロックピン３０を伴った状態で固定フレーム１１の長孔１１ａに対して移動するようになっている。ロックピン３０は、付勢ばね３１に繋がれて定常位置から図の右方のカード挿入口３に向かって付勢されている。さらに、可動フレーム１２の後端部付近に固着して一体にロック補助ピン３２が設けられている。このロック補助ピン３２は固定フレーム１１の長手方向の下端面に当接して案内され、可動フレーム１２の往復動に伴って移動する。したがって、かかる可動フレーム１２は、付勢ばね３１の弾性力に抗した状態で定常位置に係留手段６によって留め置かれており、係留手段６が作動して係留が解除されると、付勢ばね３１によって図の右方に向かう前進動作が可能である。
【００３５】
また、かかる押し戻し防止ロック機構は、上記ロックピン３０をロック位置から解除するためのロック解除レバー３３を有し、このロック解除レバー３３の回動軸周りに弾着されたばね部材３４を有している。すなわち、ロック解除レバー３３を回動操作することにより、ばね部材３４の端部３４ａをロックピン３０に押し当て、ロック状態になっているロックピン３０をロック位置から移動させてロック状態を解除することが可能である。
【００３６】
なお、図２および図３において符号７は駆動源５にスイッチ信号を送信するマイクロスイッチなどを示し、外部突出した弾性接点片７ａが上記変換レバー１３に設けた凸状の接点部１３ａに係脱可能である。すなわち、カード状媒体４の異常停止を検出した信号に基づいて駆動源５が作動し、カードロック装置１０の可動フレーム１２の係留を解除して定常位置から前進動作させた際、変換レバー１３が回動してその凸状の接点部１３ａが弾性接点片７ａから離脱することで、マイクロスイッチ７をオンまたはオフするようになっている。
【００３７】
上述したカードリーダの動作を以下に説明する。
【００３８】
カード状媒体４がカード挿入口３から挿入されると、そのカード状媒体４が規定カードであるか否か監視センサからの検出信号に基づいて判断され、規定カードと判断すると防護シャッタが開き、カード状媒体４のカードリーダ本体１内への挿入を可能とする。防護シャッタが開いてカード状媒体４がさらに奥方へ挿入されると、そのカード状媒体４を読み取り位置などに搬送ローラで搬送し、読み取り処理や書き込み処理などが行われる。
【００３９】
稼働中、顧客がカード状媒体４を挿入した直後、カードリーダ本体１の内部機構や電気系統などに発生した故障が原因でカード状媒体４がカード挿入口３付近で異常停止して滞留することがある。また、不正者が不正行為を働き、防護シャッタが開いた状態で顧客が挿入したカード状媒体４を意図的に停止させてしまうような細工を仕掛けることがある。事情に無知な顧客が係員呼び出しなどでその場を離れた隙を狙い、その不正者がカード状媒体４を引き抜いて盗用するおそれがある。
【００４０】
防護シャッタが開状態になっているときに、カード状媒体４が異常停止したことを媒体検出センサなど監視手段が検出すると、その検出信号に基づいて駆動源５に作動信号が送られ、定常位置に係留されている可動フレーム１２に対して係留手段６が作動して係留を解除する。すなわち、駆動源５のソレノイドの出力軸が引き込まれ（カード挿入口３側に移動）、係留手段６がピン６ｂを中心にして、出力軸に設けられたピン５ａとともに移動することで、係留手段６の係合部６ａが可動フレーム１２の係合部１２ｂから離間する。係留解除された可動フレーム１２は付勢ばね３１によってカード挿入口３に向かって前進し、可動フレーム１２の先端部に連結されている変換レバー１３を回動させ、変換レバー１３を介してロックレバー２０を支軸ピン１７の軸周りで反時計廻り方向に正回転させる。反時計廻り方向に正回転したロックレバー２０は、そのレバー本体２１のロック歯２２を異常停止しているカード状媒体４の表面に当接させる。
【００４１】
カード状媒体４の異常停止を通報すべく顧客がその場を離れたような場合、その隙に不正者がカード状媒体４を引き抜いて盗用しようと試みた場合、まずカードロック装置１０の引き抜き防止ロック機構が作動する。
【００４２】
不正者による引き抜き力Ｐによって、カード状媒体４の表面に当接しているロックレバー２０が支軸ピン１７の軸周りで反時計廻り方向に回動しようとし、ロック歯２２がカード表面に食い込むように作用する。不正者が加える引き抜き力Ｐを増大させればさせるほど、ロック歯２２は回動半径Ｒ１のロック歯２２ａから回動半径の大きいＲ２のロック歯２２ｂに向かって漸次回動して、回転半径Ｒがより大きくなるロック歯２２に移行するに伴い、そのロック歯２２のカード状媒体４の表面に食い込む力が増加される。すなわち、引き抜き力Ｐが働く方向へロックレバー２０のカード状媒体４に対する移動阻止力（ロック力）をワンウエイ方式で増大させることにより、カード状媒体４を滞留位置にロックして保持する。
【００４３】
ロック歯２２のカード表面への食い込みは、薄板鋼板による本実施形態では複数枚の歯板２４のロック歯がカード状媒体４に表面から食い込み、両側の厚板鋼板による側板２３はその周端面でカード状媒体４の表面を押圧する。レバー本体２１はそのように側板２３と歯板２４との積層構造で幅広であるから、カード状媒体４の表面にカード幅方向へ広く面接触のようにまたは複数の点で当接し、その移動を確実に阻止してロックでき、不正者がカード状媒体４を不正盗用するのを防止できる。
【００４４】
一方、そうしたカードロック装置２０の引き抜き防止ロック機構の作用により、不正者がカード状媒体４を引き抜きだけでは取り出せないと判断し、なおかつそのカード状媒体４を奥方へ逆に押し戻そうと試み、引いたり押し戻したりを繰り返して執拗にカード状媒体４の不正取り出しを続行する場合がある。そうした場合に、カードロック装置２０の次の押し戻し防止ロック機構が作動する。
【００４５】
引き抜き力Ｐとは逆方向に不正者がカード状媒体４を装置内方へ押し戻そうとすると、その押し戻し力でワンウエイ方向へ機能するロックレバー２０が時計廻り方向へ僅かに逆回転し、ロック歯２２によるロック力が緩んでカード状媒体４が図の左方向のカード搬送方向へ移動する。しかし、そのカード状媒体４の移動も僅かに規制される。すなわち、不正者の押し戻し力はロックレバー２０から変換レバー１３に逆伝達され、この変換レバー１３を介して可動フレーム１２の付勢ばね３１に抗した図の左方向への後退運動に変換される。
【００４６】
可動フレーム１２が後退すると、それに伴って傾斜長孔１２ａ内のロックピン３０もまた一体に図の左方向へ移動する。ロックピン３０のかかる移動は固定フレーム１１の長孔１１ａに案内される。やがてロックピン３０は可動フレーム１２の傾斜長孔１２ａにおける斜面と固定フレーム１１の長孔１１ａにおける水平面との交差部に差し掛かり、その交差部における斜面と水平面に挟んで強圧を加えることでロックピン３０のそれ以上の移動を阻止してロック状態にする。ロックピン３０に対するかかるロック状態は、可動フレーム１２と一緒に移動するロック補助ピン３２が固定フレーム１１の長手方向の下端面に当接して案内され、可動フレーム１２の斜面力による浮き上がりを阻止し、結果、その可動フレーム１２の浮き上がり防止力もロックピン３０に働くことで、長孔１１ａの水平面と、傾斜長孔１２の斜面と、ロック補助ピン３２の当接面との三点支持により、ロックピン３０を強固にロックする。
【００４７】
ロックピン３０がロックされると可動フレーム１２の押し戻し方向への移動は制止され、ロックレバー２０の逆回転は止まって、カード状媒体４に対するロック力は変化することなく、そのようにして不正者がカード状媒体４を引いたり押し戻したりして執拗にカード取り出しを試みても、それを阻止してカード状媒体４を防護して盗用を防ぐことができる。
【００４８】
以上のように、カードロック装置１０の引き抜き防止ロック機構と押し戻し防止ロック機構が作動中、搬送台２６が、ロックレバー２０のロック歯２２と協働して、その間にカード状媒体４を挟み込んで、その移動を阻止することで、不正者によるカード引き抜きや押し戻しの力を相殺させるのに役立つ。
【００４９】
より詳しくは、ロックレバー２０の近傍において、カード状媒体４は、上側搬送ローラ２５ａと下側搬送ローラ２５ｂとの間に挟持されて、搬送台２６からやや浮き上がった状態で搬送可能とされている。従って、ロックレバー２０が駆動された後に、不正者によるカード引き抜きが行なわれると、カード状媒体４は引き抜かれた方向に僅かに移動し、ロック歯２２は浮き上がっている分だけ深くカード状媒体４に喰い込み、カード状媒体４をロックし引き抜きを防止することになる。
【００５０】
つぎに、本発明に係るカードロック装置の他の実施の形態について、図７から図９を用いて説明する。図７はカードロック装置を示す斜視図である。図８はカードロック装置の動作を説明する図である。図９はロック歯の動作を説明する拡大図である。なお、このカードロック装置を備えたカードリーダは上述したカードリーダと同じ構造であるので、ここでの説明等は省略している。
【００５１】
他の実施の形態となるカードロック装置１０Ａは、図７、８に示すように、カードリーダ本体を作動させる駆動源５Ａとしてのモータを有し、駆動源５Ａから出力された動力が伝達機構を介して伝達されて作動オン／オフするカードロック装置１０Ａが本体ハウジング内に設けられている。
このカードロック装置１０Ａは、駆動源（モータ）５Ａの駆動力を伝達する減速のギア輪列３５と、ギア輪列３５内に設けられたピンクラッチ３６と、ギア輪列３５の最終段に連結された扇状歯車３７と、扇状歯車３７とロックレバーとを連結する連結レバー（変換レバー）１３Ａと、ロック歯を供えたロックレバー２０Ａとから構成されている。
【００５２】
このモータ５Ａにはギア輪列３５が設けられており、モータ５Ａの駆動力がギア輪列３５に伝達され、減速されるようになっている。
さらに、本実施の形態では、図７、８に示すように、このギア輪列３５の最終歯車は、駆動軸３５ｃに固着されている歯車３５ａと、駆動軸３５ｃに回動可能に支持されている歯車３５ｂとから構成されている。
また、本実施の形態では、ギア輪列３５の各歯車から最終歯車３５ａ、３５ｂを介して扇状歯車３７に至るまでの減速比を、ロックレバー２０Ａの逆方向への回動を防止しうる程度の大きさに設定しておくことも好ましい。こうした場合、カード状媒体４が逆方向（カードリーダ本体１の奥の方向）へと押し込まれたとしても、扇状歯車３７、連接レバー１３Ａ、およびロックレバー２０Ａが動かないようロックすることができるためにカード状媒体４が押し込まれて奥の方に動くのを防止することができるようになっている。
【００５３】
さらに、歯車３５ｂの側面には、その側面から駆動軸３５ｃと平行に突き出た凸部３６ｂが１８０°間隔をおいて２つ形成されている。また、駆動軸３５ｃには、径方向に突出するピン３６ａが形成されている。
凸部３６ｂは、ピン３６ａの回動範囲内に配置されており、ピン３６ａと凸部３６ｂは係合離脱するようになっている。このように構成されたピン３６ａと凸部３６ｂとでピンクラッチ３６が構成されている。
すなわち、最終歯車３５ｂは駆動源５Ａによって回転させられると、凸部３６ｂがピン３６ａと係合するまでは空転するが、凸部３６ｂがピン３６ａと係合すると、駆動軸３５ｃに固着されている最終歯車３５ａを一体回転するようになっている。
【００５４】
歯車３６ａには扇状歯車３７が噛合され、扇状歯車３７は、図８に示すように、支軸３８を中心に回動するようになっている。
扇状歯車３７の端部側には、連結ピン１４Ａで連結レバー（変換レバー）１３Ａの一端に連結され、この連結レバー（変換レバー）１３Ａの他端は連結ピン１５Ａを介して本発明でいうロック部材であるロックレバー２０Ａに回動可能に連結されている。
【００５５】
また、扇状歯車３８の近傍には、駆動源５Ａにスイッチ信号を送信するマイクロスイッチ７Ａが配置されている。図８に示すように、扇状歯車３７の端部側に設けられている連結ピン１４Ａが、マイクロスイッチ７Ａの外部突出した弾性接点片７Ａａに係脱可能である。すなわち、カード状媒体４の異常停止を検出した信号に基づいて駆動源５Ａが作動し、カードロック装置１０Ａの係留を解除して、扇状歯車３７が定常位置から回動して、連結ピン１４Ａが弾性接点片７Ａａから離脱することで、マイクロスイッチ７Ａをオンまたはオフするようになっている。
【００５６】
ロックレバー２０Ａは、引き抜き防止ロック機構における主要な部材であり、図８および図９に示すように、レバー本体２１Ａ全体がラチェットギアのような形状に成形されている。レバー本体２１Ａはこの中央部もしくは先端部寄りの部位にて連結ピン１５Ａで連結レバー１３Ａの他端に連結され、レバー本体２１Ａの基端部は支軸ピン１７Ａに回動可能に軸支されている。したがって、レバー本体２１Ａは連結レバー１３Ａからの回動力を受けて、支軸ピン１７Ａの軸周りで反時計廻り方向への正回転が可能であり、また時計廻り方向へ逆回転が可能である。
【００５７】
レバー本体２１Ａは複数枚からなる積層構造であり、幅寸法方向の両側にやや厚めの鋼板で成形された２枚の側板２３Ａを有し、各側板２３Ａ間に薄板鋼板をほぼ同形に成形した例えば２枚からなる同形サイズの歯板２４Ａを積層させて構成している。具体的には、図７の円内拡大図に示すように、各側板２３Ａの内側に１枚の歯板２４Ａを当接させ、一方の歯板２４Ａと他方の歯板２４Ａとの間にはスペーサを介在させている。なお、歯板２４Ａの枚数はこれに限定されるものではなく、上述したロック歯２２のように、隙間なく歯板２４を設けてもよい。
レバー本体２１Ａをそのように積層構造で幅広に形成することにより、側板２３Ａ及び歯板２４Ａの各ロック歯２２Ａがカード状媒体４の表面にカード幅方向（カード走行方向に対して垂直な方向）に沿って幅広くまたは複数の点で当接し、その移動を確実に阻止してロックできるようにしている。
【００５８】
このように幅方向に積層した構造とした場合には、これらロック歯２２Ａがカード状媒体４に引っ掛かりあるいは突き刺さる個所および領域がカード状媒体４の走行方向に対して垂直なカード幅方向に増えることになる。このため、カード不正取り出し時に強引な引き抜きが行われたとしても、このような行為に耐えるためのいわば引き抜かれ耐力を向上させ、強化することができる。
本実施の形態ではこのように積層させていることはもちろんであるが、単に積層させるのみでなく、歯板２４Ａと厚みのある側板２３Ａとが混在した状態で積層させる構造としている。このように歯板２４Ａと側板２３Ａとを混在した状態で積層させた場合、カード状媒体４の表面により引っ掛かりやすいロック歯２２Aを構成することが可能になるという点で好ましい。
なお、このような歯板２４Ａのみを積層してロック歯２２Ａを形成することも可能ではあるが、部品点数が多くなりすぎること、加工の手間が増えすぎてしまうこと、及び歯板２４Ａの強度不足によるダレ等を考慮すると、側板２３を幅方向両端に配置することによって引っ掛かり易さは確保しつつ、部品点数や手間とのバランスをとることができるので好ましい。
【００５９】
側板２３Ａ及び歯板２４Ａの先端部の周縁には、係止部としてのロック歯２２Ａが形成されており、このロック歯２２Ａは１つの爪状の鋭利な突起物で構成されている。
さらに、図９に示すように、レバー本体２１Ａの外周とロック歯２２Ａの先端はほぼ同じ径となっている。すなわち、ロック歯２２Ａから支軸ピン１７Ａまでの距離は、支軸ピン１７Ａを回動中心とする回動半径Ｒが同じとなって形成されている。
【００６０】
さらに、ロック歯２２Ａの可動範囲は上述したロック歯２２Ａが少なくともカード状媒体４の搬送路８を交差する程度にまで回動可能となっていることが好ましい。こうした場合には、ロック歯２２Ａをカード状媒体４の表面に単に当接（接触）させるのみでなく、１つの爪形状した個所をカード状媒体４に突き刺すことが可能となる。
より詳しくは、例えば、ロックレバー２０Ａは、上述した実施の形態と同様に、ロックレバー２０Ａの近傍において、カード状媒体４が図示しない上側搬送ローラと下側搬送ローラとの間に挟持されて、搬送台２６からやや浮き上がった状態で搬送可能とされているので、ロック歯２２がカード状媒体４に突き刺さるに足る範囲を回動できるように形成されている。したがって、引き抜き等によるカード不正取り出し時、ロック歯２２Ａを当該カード状媒体４に突き刺し、場合によっては貫いた状態とし、カード状媒体４がさらに引き抜かれようとする行為に耐える力、いわば引き抜かれ耐力を向上ないしは強化することが可能となる。
【００６１】
また、本実施の形態では、歯板２４Ａの周縁に形成されたロック歯２２Ａの歯先は、側板２３Ａの周縁に形成されたロック歯２２Ａよりも僅かに外側へ突出するような大きさや形状に形成されている。
【００６２】
また、上述のように複数枚の歯板２４Ａを積層することによってロック歯２２Ａを形成した場合には以下のような利点もある。すなわち、各歯板２４Ａの縁にできたバリを後処理することなく積層することとすれば、カード状媒体４の引っ掛かりやすい、あるいは傷を付けやすいロック歯２２Ａを構成することができる。通常、バリは不要なものとなることが多いが、本実施形態のカードリーダにおいてはこのようなバリを逆に利用することによってカードロックを行うのに好適なロック歯２２Ａとすることができる。しかも、上述したように積層構造とした場合には、バリのある歯板２４Ａを複数枚重ね合わせることによってバリが多くきわめて引っ掛かりやすいロック歯２２Ａを構成することが可能となるためにカードロックを行う機器として好ましいものとなり得る。
【００６３】
また、上述のようにロックレバー２０Ａの周縁部分に形成される各ロック歯２２Ａは、カード状媒体４の磁気ストライプあるいはＩＣチップ等といった情報が記録される部分（情報記録部）が通過する経路上に配置されている。このような配置とした本実施の形態のカードリーダにおいては、引き抜き等によるカード不正取り出し時、当該カード状媒体４の情報記録部を再使用不可能な程度に破壊することができる。したがって、きわめて巧妙な行為により仮にカード状媒体４が不正に取り出されたとしても、当該カード状媒体４が不正使用されるという事態は免れることができる。
【００６４】
上述したカードロック装置の動作を以下に説明する。なお、カードロック装置が収納されているカードリーダは上述したものと同じであるので、図示はしていないが、同じ符号を用いて説明する。
【００６５】
図示していないが、カード状媒体４がカードリーダのカード挿入口３から挿入されると、そのカード状媒体４が規定カードであるか否か監視センサからの検出信号に基づいて判断され、規定カードと判断すると防護シャッタ（図示せず）が開き、カード状媒体４のカードリーダ本体１内への挿入を可能とする。防護シャッタが開いてカード状媒体４がさらに奥方へ挿入されると、そのカード状媒体４を読み取り位置などに搬送ローラ（例えば、２５ａ，２５ｂ）で搬送し、読み取り処理や書き込み処理などが行われる。
【００６６】
稼働中、顧客がカード状媒体４を挿入した直後、カードリーダ本体１の内部機構や電気系統などに発生した故障が原因でカード状媒体４がカード挿入口３付近で異常停止して滞留することがある。また、不正者が不正行為を働き、防護シャッタが開いた状態で顧客が挿入したカード状媒体４を意図的に停止させてしまうような細工を仕掛けることがある。事情に無知な顧客が係員呼び出しなどでその場を離れた隙を狙い、その不正者がカード状媒体４を引き抜いて盗用するおそれがある。
【００６７】
防護シャッタが開状態になっているときに、カード状媒体４が異常停止したことを媒体検出センサなど監視手段が検出すると、その検出信号に基づいて駆動源５Ａとしてのモータに作動信号が送られ、駆動源（モータ）５Ａが所定の方向に回転する。この回転がギア輪列３５に伝達される。
ここで、最終歯車３５ｂは駆動源５Ａによって回転させられると、凸部３６ｂがピン３６ａと係合するまでは空転するが、凸部３６ｂがピン３６ａと係合すると、駆動軸３５ｃに固着されている最終歯車３５ａを一体回転する。
このようにして、ギア輪列３５の最終歯車３５ａ，３５ｂが減速されて回動し、扇状歯車３７が回動する。扇状歯車３７の回動により、その側面に軸支されている連結レバー１３Ａが回動する。ロックレバー２０Ａが、連結レバー１３Ａを介して支軸ピン１７Ａの軸周りで反時計廻り方向に正回転させる。反時計廻り方向に正回転したロックレバー２０Ａは、そのレバー本体２１Ａのロック歯２２Ａを異常停止しているカード状媒体４の表面に当接されるまたはカード状媒体４に食い込む。
【００６８】
カード状媒体４の異常停止を通報すべく顧客がその場を離れたような場合、その隙に不正者がカード状媒体４を引き抜いて盗用しようと試みた場合、まずカードロック装置１０Ａの引き抜き防止ロック機構が作動する。
【００６９】
不正者による引き抜き力Ｐによって、カード状媒体４の表面に当接しているロックレバー２０Ａが支軸ピン１７Ａの軸周りで反時計廻り方向に回動しようとし、歯板２４Ａのロック歯２２Ａがカード表面に食い込むように作用する。すなわち、引き抜き力Ｐが働く方向へロックレバー２０Ａのカード状媒体４に対する移動阻止力（ロック力）をピンクラッチ３６によるワンウエイ方式でロック歯２２Ａの食い込みを増大させることにより、カード状媒体４を滞留位置にロックして保持する。
【００７０】
つぎに、不正者が押し戻す方向にカード状媒体４を押すと、カードロック装置１０Ａのピンクラッチ３６が動作する。
すなわち、図８に示すように、ロック歯２２Ａに食い込まれたカード状媒体４がカードリーダ本体１内に押し戻されると、ロックレバー２０Ａ、連結レバー１３Ａが図示右方向に移動し、扇状歯車３７が反時計方向に回動する。これにより、最終歯車３５ａ及び駆動軸３５ｃが回転をはじめる。駆動軸３５ｃに設けられているピン３６ａは、当接していた凸部３６ｂとは離間し自由に回転をはじめ、１８０°離れた別の凸部３６ｂに当接する。
この自由に回転する領域では、駆動源（モータ）５Ａ及びギア輪列３５の負荷を受けないようになっているので、ロックレバー２０Ａは押し戻される力によって回動することができ、ロック歯２２Ａを形成する１つの爪がカード状媒体４にさらに食い込むようになり、抜けないようになる。
ピン３６ａが別の凸部３６ｂに当接した後は、押し戻す力が駆動源５Ａやギア輪列３５を回動させようと影響するが、これらがもつディテントトルクが大きいのでカード状媒体４をさらに押し戻すことは難しくなる。
これにより、不正者はカード状媒体４を押し戻しても引き抜いてもロック歯２２Ａから抜けなくなる。
【００７１】
（他の実施の形態の効果）
以上説明した他の実施の形態のカードロック装置１０Ａによると、偏心カムではなく中心からほぼ等距離となるように周状に１つの爪からなるロック歯２２Ａを配置したロックレバー２０Ａを使用したので、カード状媒体４を引き抜き動作において、１つの爪のロック歯２２Ａがカード状媒体４に、のこぎり歯状をしたロック歯２２に比べて短い距離で食い込むことができる。
さらに、駆動源５Ａにモータを使用し、ギア輪列３５を介してロックレバー２２Ａを回動させるようにした構造にピンクラッチ３６を設けたので、押し戻し動作においても、ロック歯２２Ａがカード状媒体４にさらに食い込むように動作することができる。従って、引き抜き動作、押し戻し動作に対しても確実にカード状媒体４を取り出しにくくしており、不正取り出し行為を防止している。
【００７２】
なお、上述の実施の形態は本発明の好適な実施の一例ではあるがこれに限定されるものではなく本発明の要旨を逸脱しない範囲において種々変形実施可能である。例えば、上述したいずれの実施の形態においてもロックレバー２０（２０Ａ）に設けたロック歯２２（２２Ａ）をカード状媒体４に直接突き当てるかあるいはさらに突き刺すようにしてカード状媒体４が不正に取り出されてしまうのを防止することとしたが、あらかじめロック歯２２（２２Ａ）にカバーを被せておき、カバー付きのロック歯２２（２２Ａ）をカード状媒体４に押しつけるようにして不正行為を防止するような形態としてもよい。すなわち、図１０、１１に示すように、ロック歯２２（２２Ａ）であって少なくともカード状媒体４の表面に接触しうる部位を保護部材４０で覆い、この保護部材４０をカード状媒体４の表面に当接させるようにする。こうした場合には、当該カード状媒体４の表面に傷が付いてしまうのを防ぎつつ不正行為を防止できることから、不正行為を防止した後のカード状媒体４を引き続き使用することが可能となる。カード状媒体４の引き抜きあるいは押し込みを効果的に防止するという観点からすれば、保護部材４０は例えばゴム等のように摩擦係数がある程度高く尚かつ弾性のある部材であることが好ましい。
【００７３】
また、ロックレバー２０に設けたワンウエイ方向への食い込み力増加に有効な鋸歯形状のロック歯２２に代えて、本発明でいう係止部として、レバー本体２１の周縁に沿って適宜ピッチで嵌め込まれたワンウエイ方式の転動体であるロックベアリングなども可能である。また、レバー本体２１を軸支する支軸ピン１７の軸周りにワンウエイ回転するラチェット爪を設けて、レバー本体２１の時計廻り方向への逆転を完全に規制する構造を上記実施形態の構成において応用することも可能である。さらに、ロックレバー２０の全体形状をカム状に成形し、支軸ピン１７からの回動半径Ｒが漸次大きくなるようなカム面を曲面加工する。それにより、そのカム面でカード状媒体を表面から押圧してロック力を増大させ、不正行為による盗用を防止する。
【図面の簡単な説明】
【００７４】
【図１】本発明によるカードリーダ本体の実施形態の一例を示す斜視図である。
【図２】実施形態のカードロック装置において引き抜き防止ロック機構の起動前を示す側面図である。
【図３】実施形態のカードロック装置において引き抜き防止ロック機構の起動後を示す側面図である。
【図４】実施形態の引き抜き防止ロック機構においてロックレバーを拡大して示す斜視図である。
【図５】実施形態のロックレバー単体を示す側面図である。
【図６】実施形態のカードロック装置における押し戻し防止ロック機構の要部を拡大して示す側面図である。
【図７】本発明の他の実施の形態を示すカードロック装置の斜視図である。
【図８】図７に示すカードロック装置の動作を説明する図である。
【図９】図７に示すカードロック装置のロック歯の動作を説明する拡大図である。
【図１０】本発明の別の実施の形態を示すカードロック装置の斜視図である。
【図１１】図１０に示すカードロック装置のロック歯の動作を説明する拡大図である。
【符号の説明】
【００７５】
１  カードリーダ本体
３  カード挿入口
４  カード状媒体
５  モータ
８  搬送路
１０、１０Ａ  カードロック装置
１１  固定フレーム
１２  可動フレーム（可動部材）
１７  支軸ピン
２０、２０Ａ  ロックレバー（ロック部材）
２１、２１Ａ  レバー本体
２２、２２Ａ  ロック歯（係止部）
３５  ギア輪列
３６  ピンクラッチ
【図１】
2006155567.tif 000003
【図２】
2006155567.tif 000004
【図３】
2006155567.tif 000005
【図４】
2006155567.tif 000006
【図５】
2006155567.tif 000007
【図６】
2006155567.tif 000008
【図７】
2006155567.tif 000009
【図８】
2006155567.tif 000010
【図９】
2006155567.tif 000011
【図１０】
2006155567.tif 000012
【図１１】
2006155567.tif 000013